【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
制御ネットワークにより接続された被監視装置を監視および保守する監視・保守システムにおいて、第一の被監視装置が接続された第一の制御ネットワーク及び第二の被監視装置が接続された第二の制御ネットワーク間に配置されたゲートウェイ装置、上記第一の制御ネットワークに接続され、上記被監視装置との間で、被監視装置の監視および保守に関する情報の送受信を行う監視・保守サーバマシン、及びこの監視・保守サーバマシンと通信可能に配置され、上記監視・保守サーバマシンとの間で、上記被監視装置の監視および保守に関する情報の送受信を行う監視・保守クライアントマシンを備え、
上記監視・保守サーバマシンは、上記第一の制御ネットワークを介しての通信及び上記監視・保守クライアントマシンとの間の通信を行う通信手段と、この通信手段を介して上記監視・保守クライアントマシンとの間で会話を行う端末会話手段と、上記被監視装置に対し、上記通信手段を介して監視情報の受信及び保守指令の送信を行う監視・保守指令手段とにより構成され、
上記監視・保守クライアントマシンは、被監視装置からの監視情報を表示すると共に、ユーザからの上記被監視装置への保守操作の入力を受け付ける画面表示・入力手段と、上記監視・保守サーバマシンの通信手段との間で通信を行う通信手段と、この通信手段を介して上記監視・保守サーバマシンの端末会話手段との間で監視情報の受信及び保守指令の送信を行うサーバ会話手段とにより構成され、
上記ゲートウェイ装置は、上記第一の制御ネットワークを介して上記監視・保守サーバマシンの通信手段と通信を行うと共に上記第二の制御ネットワークを介して上記第二の被監視装置と通信を行う通信手段と、この通信手段を介して上記監視・保守サーバマシンの監視・保守指令手段からの保守指令を上記第二の被監視装置に転送すると共に上記第二の被監視装置からの監視情報を上記監視・保守サーバマシンの監視・保守指令手段に転送する転送手段とにより構成され、
上記監視・保守クライアントマシンは、上記監視・保守サーバマシンを経由して、上記第一の被監視装置に対しては上記第一の制御ネットワークを介して監視・保守を行い、上記第二の被監視装置に対しては上記第一の制御ネットワーク及び上記ゲートウェイ装置並びに上記第二の制御ネットワークを介して監視・保守を行うことを特徴とする監視・保守システム。
【請求項２】
監視・保守サーバマシンに接続される監視・保守クライアントマシンは、複数であることを特徴とする請求項１記載の監視・保守システム。
【請求項３】
監視・保守サーバマシンと監視・保守クライアントマシンとは、広域ネットワークによって接続されていることを特徴とする請求項１または請求項２記載の監視・保守システム。
【請求項４】
監視・保守サーバマシンと監視・保守クライアントマシンとは、携帯通信装置によって通信が行われることを特徴とする請求項１〜請求項３のいずれか一項記載の監視・保守システム。
【請求項５】
監視・保守サーバマシンは、監視・保守クライアントマシンからのアクセスの正当性をチェックするセキュリティ管理手段を有することを特徴とする請求項１〜請求項４のいずれか一項記載の監視・保守システム。
【請求項６】
監視・保守サーバマシンは、被監視装置の保有する管理情報を一元管理するシステム管理手段を有することを特徴とする請求項１〜請求項５のいずれか一項記載の監視・保守システム。
【手続補正２】
【補正対象書類名】明細書
【補正対象項目名】０００９
【補正方法】変更
【補正の内容】
【０００９】
【課題を解決するための手段】
この発明に係わる監視・保守システムにおいては、制御ネットワークにより接続された被監視装置を監視および保守する監視・保守システムにおいて、第一の被監視装置が接続された第一の制御ネットワーク及び第二の被監視装置が接続された第二の制御ネットワーク間に配置されたゲートウェイ装置、第一の制御ネットワークに接続され、被監視装置との間で、被監視装置の監視および保守に関する情報の送受信を行う監視・保守サーバマシン、及びこの監視・保守サーバマシンと通信可能に配置され、監視・保守サーバマシンとの間で、被監視装置の監視および保守に関する情報の送受信を行う監視・保守クライアントマシンを備え、
監視・保守サーバマシンは、第一の制御ネットワークを介しての通信及び監視・保守クライアントマシンとの間の通信を行う通信手段と、この通信手段を介して監視・保守クライアントマシンとの間で会話を行う端末会話手段と、被監視装置に対し、通信手段を介して監視情報の受信及び保守指令の送信を行う監視・保守指令手段とにより構成され、
監視・保守クライアントマシンは、被監視装置からの監視情報を表示すると共に、ユーザからの被監視装置への保守操作の入力を受け付ける画面表示・入力手段と、監視・保守サーバマシンの通信手段との間で通信を行う通信手段と、この通信手段を介して監視・保守サーバマシンの端末会話手段との間で監視情報の受信及び保守指令の送信を行うサーバ会話手段とにより構成され、
ゲートウェイ装置は、第一の制御ネットワークを介して監視・保守サーバマシンの通信手段と通信を行うと共に第二の制御ネットワークを介して第二の被監視装置と通信を行う通信手段と、この通信手段を介して監視・保守サーバマシンの監視・保守指令手段からの保守指令を第二の被監視装置に転送すると共に第二の被監視装置からの監視情報を監視・保守サーバマシンの監視・保守指令手段に転送する転送手段とにより構成され、
監視・保守クライアントマシンは、監視・保守サーバマシンを経由して、第一の被監視装置に対しては第一の制御ネットワークを介して監視・保守を行い、第二の被監視装置に対しては第一の制御ネットワーク及びゲートウェイ装置並びに第二の制御ネットワークを介して監視・保守を行うものである。
【手続補正３】
【補正対象書類名】明細書
【補正対象項目名】００１１
【補正方法】変更
【補正の内容】
【００１１】
さらに、監視・保守サーバマシンと監視・保守クライアントマシンとは、携帯通信装置によって通信が行われるものである。
【手続補正４】
【補正対象書類名】明細書
【補正対象項目名】００３１
【補正方法】変更
【補正の内容】
【００３１】
【発明の効果】
この発明は、以上説明したように構成されているので、以下に示すような効果を奏する。
制御ネットワークにより接続された被監視装置を監視および保守する監視・保守システムにおいて、第一の被監視装置が接続された第一の制御ネットワーク及び第二の被監視装置が接続された第二の制御ネットワーク間に配置されたゲートウェイ装置、第一の制御ネットワークに接続され、被監視装置との間で、被監視装置の監視および保守に関する情報の送受信を行う監視・保守サーバマシン、及びこの監視・保守サーバマシンと通信可能に配置され、監視・保守サーバマシンとの間で、被監視装置の監視および保守に関する情報の送受信を行う監視・保守クライアントマシンを備え、
監視・保守サーバマシンは、第一の制御ネットワークを介しての通信及び監視・保守クライアントマシンとの間の通信を行う通信手段と、この通信手段を介して監視・保守クライアントマシンとの間で会話を行う端末会話手段と、被監視装置に対し、通信手段を介して監視情報の受信及び保守指令の送信を行う監視・保守指令手段とにより構成され、
監視・保守クライアントマシンは、被監視装置からの監視情報を表示すると共に、ユーザからの被監視装置への保守操作の入力を受け付ける画面表示・入力手段と、監視・保守サーバマシンの通信手段との間で通信を行う通信手段と、この通信手段を介して監視・保守サーバマシンの端末会話手段との間で監視情報の受信及び保守指令の送信を行うサーバ会話手段とにより構成され、
ゲートウェイ装置は、第一の制御ネットワークを介して監視・保守サーバマシンの通信手段と通信を行うと共に第二の制御ネットワークを介して第二の被監視装置と通信を行う通信手段と、この通信手段を介して監視・保守サーバマシンの監視・保守指令手段からの保守指令を第二の被監視装置に転送すると共に第二の被監視装置からの監視情報を監視・保守サーバマシンの監視・保守指令手段に転送する転送手段とにより構成され、
監視・保守クライアントマシンは、監視・保守サーバマシンを経由して、第一の被監視装置に対しては第一の制御ネットワークを介して監視・保守を行い、第二の被監視装置に対しては第一の制御ネットワーク及びゲートウェイ装置並びに第二の制御ネットワークを介して監視・保守を行うので、場所の制限を受けずに監視・保守クライアントマシンを配置して、階層化された制御ネットワークに接続された被監視装置に対して監視・保守を行うことができる。
【手続補正５】
【補正対象書類名】明細書
【補正対象項目名】００３３
【補正方法】変更
【補正の内容】
【００３３】
さらに、監視・保守サーバマシンと監視・保守クライアントマシンとは、携帯通信装置によって通信が行われるので、監視・保守クライアントマシンが任意の場所にあっても、被監視装置の監視・保守を行うことができる。